(57)【要約】【課題】簡素な構成で、ノイズの影響を抑制可能とする駆動回路装置を提供する。【解決手段】駆動回路装置において、制御部１２０は、信号出力端子１２２における信号電圧と、グランド端子１２３における基準電圧との電位差を駆動用信号として、被駆動部１４０に供給するようになっており、グランド端子１２３には、信号線１１２と同一長さに設定されて、信号線１１２に沿うように配置されたグランドアンテナ線１１４が接続されている。【選択図】図１
2015094928.tif 000002
【特許請求の範囲】
【請求項１】
信号出力端子（１２２）およびグランド端子（１２３）を備え、前記信号出力端子（１２２）から被駆動部（１４０）に接続される信号線（１１２）を介して前記被駆動部（１４０）に駆動用信号を供給して、前記被駆動部（１４０）の作動を制御する制御部（１２０）を備える駆動回路装置であって、
前記制御部（１２０）は、前記信号出力端子（１２２）における信号電圧と、前記グランド端子（１２３）における基準電圧との電位差を前記駆動用信号として、前記被駆動部（１４０）に供給するようになっており、
前記グランド端子（１２３）には、前記信号線（１１２）と同一長さに設定されて、前記信号線（１１２）に沿うように配置されたグランドアンテナ線（１１４）が接続されていることを特徴とする駆動回路装置。
【請求項２】
前記信号線（１１２）は、等間隔で複数本設けられており、
前記グランドアンテナ線（１１４）と、最も近い前記信号線（１１２）との間隔は、複数の前記信号線（１１２）の間隔と同一に設定されていることを特徴とする請求項１に記載の駆動回路装置。
【請求項３】
前記被駆動部（１４０）は、液晶式の表示部（１４０）であることを特徴とする請求項１または請求項２に記載の駆動回路装置。
【発明の詳細な説明】
【技術分野】
【０００１】
本発明は、例えば、液晶ディスプレイを作動させるための制御部を備える駆動回路装置に関するものである。
【背景技術】
【０００２】
従来の駆動回路装置として、例えば特許文献１に示されるものが知られている。特許文献１の駆動回路装置は、例えば、表示パネルの作動を制御する制御回路を備える電気光学装置となっている。表示パネルのコモン電極と、制御回路との間には、信号配線が設けられており、制御回路からコモン電極にコモン信号が供給されるようになっている。信号配線の途中には、負荷抵抗が介挿されている。また、信号配線には、信号配線の負荷抵抗の上流側から分岐して信号配線に近接して配置される検出配線が設けられている。検出配線には、検出抵抗およびインダクタが直列に介挿されている。検出配線の先端側は、信号配線の途中位置まで延びて、オープン状態となっている。検出配線の配線抵抗およびインダクタンス成分は、検出抵抗およびインダクタによって信号配線と同等に設定されている。
【０００３】
特許文献１では、信号配線の周辺で電磁ノイズが発生すると、信号配線にノイズが重畳される。更に、このノイズと同等のノイズが検出配線にも重畳される。よって、特許文献１では、差分算出回路（３つのオペアンプ）を用いて、信号配線におけるコモン信号およびノイズ成分の双方を含む電圧ａ（負荷抵抗の電圧）から、検出配線におけるノイズ成分を含む電圧ｂ（検出抵抗の電圧）を減算することで、ノイズ成分を差し引いた差分信号をコモン電極に供給するようにしている。これにより、ノイズの影響をキャンセルするようにしている。
【先行技術文献】
【特許文献】
【０００４】
【特許文献１】特開２０１０−１５２１４１号公報
【発明の概要】
【発明が解決しようとする課題】
【０００５】
しかしながら、上記特許文献１では、検出配線の配線抵抗およびインダクタンス成分を信号配線と同等にすると共に、電圧ｂを検出するために、検出配線に検出抵抗およびインダクタを介挿している。また、信号配線には、電圧ａを検出するための負荷抵抗を介挿している。更に、各電圧ａ、ｂの検出および減算のための差分算出回路を設けている。よって、駆動回路装置として、多くの追加部材を必要として、構造も複雑となって、コストの高いものとなっている。
【０００６】
本発明は、上記問題点に鑑みてなされたものであって、簡素な構成で、ノイズの影響を抑制可能とする駆動回路装置を提供することにある。
【課題を解決するための手段】
【０００７】
本発明は上記目的を達成するために、以下の技術的手段を採用する。
【０００８】
本発明では、信号出力端子（１２２）およびグランド端子（１２３）を備え、信号出力端子（１２２）から被駆動部（１４０）に接続される信号線（１１２）を介して被駆動部（１４０）に駆動用信号を供給して、被駆動部（１４０）の作動を制御する制御部（１２０）を備える駆動回路装置であって、
制御部（１２０）は、信号出力端子（１２２）における信号電圧と、グランド端子（１２３）における基準電圧との電位差を駆動用信号として、被駆動部（１４０）に供給するようになっており、
グランド端子（１２３）には、信号線（１１２）と同一長さに設定されて、信号線（１１２）に沿うように配置されたグランドアンテナ線（１１４）が接続されていることを特徴としている。
【０００９】
この発明によれば、例えば、外部の機器から電磁波が発生されると、信号線（１１２）にはノイズが重畳される。また、グランドアンテナ線（１１４）は、信号線（１１２）と同一長さに設定されて、信号線（１１２）に沿うように配置されているので、グランドアンテナ線（１１４）にも信号線（１１２）と同様のノイズが重畳される。
【００１０】
ここで、制御部（１２０）は、駆動用信号として、信号出力端子（１２２）における信号電圧と、グランド端子（１２３）の基準電圧との電位差を用いるようにしている。つまり、信号電圧から基準電圧を減算して駆動用信号としている。よって、駆動用信号を生成する際に、信号線（１１２）におけるノイズは、グランドアンテナ線（１１４）におけるノイズによって相殺されることになる。したがって、制御部（１２０）にグランドアンテナ線（１１４）を設けるといった簡素な構成で、ノイズの影響を抑制することが可能となる。
【００１１】
尚、上記各手段の括弧内の符号は、後述する実施形態記載の具体的手段との対応関係を示すものである。
【図面の簡単な説明】
【００１２】
【図１】第１実施形態における駆動回路装置を示す回路図である。
【図２】第１実施形態における駆動回路装置を示す実装図である。
【図３】駆動用信号の形成要領を示すグラフである。
【図４】ノイズ発生時の駆動用信号を示すグラフである。
【発明を実施するための形態】
【００１３】
以下、本発明の複数の実施形態を図面に基づいて説明する。尚、各実施形態において対応する構成要素には同一の符号を付すことにより、重複する説明を省略する場合がある。各実施形態において構成の一部分のみを説明している場合、当該構成の他の部分については、先行して説明した他の実施形態の構成を適用することができる。また、各実施形態の説明において明示している構成の組み合わせばかりではなく、特に組み合わせに支障が生じなければ、明示していなくても複数の実施形態の構成同士を部分的に組み合せることができる。
【００１４】
（第１実施形態）
本発明の駆動回路装置１００に係る第１実施形態について図１〜図４を用いて説明する。本実施形態の駆動回路装置１００は、被駆動部として、例えば、車両用コンビネーションメータ（車両用表示装置）内に設けられる液晶ディスプレイ１４０の作動を制御するものとなっている。駆動回路装置１００は、図１、図２に示すように、基板１１０、電源配線１１１、信号線１１２、グランド線１１３、グランドアンテナ線１１４、駆動ＩＣ１２０、コンデンサ１３０、および液晶ディスプレイ１４０等を備えている。
【００１５】
基板１１０は、表面に形成されるプリント配線部を介して、駆動ＩＣ１２０、およびコンデンサ１３０を実装させるための板状部材となっている。プリント配線部は、後述する電源配線１１１、複数の信号線１１２、グランド線１１３、およびグランドアンテナ線１１４である。
【００１６】
駆動ＩＣ１２０は、液晶ディスプレイ１４０の作動、つまり液晶ディスプレイ１４０の表示状態を制御する制御部であり、基板１１０の所定の位置に配置されている。駆動ＩＣ１２０は、扁平な四角形状を成している。駆動ＩＣ１２０の１つの辺部には、電源端子１２１が設けられ、また１つの辺部と対向する側の辺部には、複数の信号出力端子１２２、およびグランド端子１２３が設けられている。複数の信号出力端子１２２、およびグランド端子１２３は、対向する側の辺部に等間隔で配置されている。
【００１７】
電源端子１２１は、基板１１０の表面に形成された電源配線１１１の一端側に接続されている。電源配線１１１の他端側は、図示しない電源部と接続されている。電源配線１１１は、電源部から駆動ＩＣ１２０に電力を供給するための配線である。
【００１８】
また、複数の信号出力端子１２２は、基板１１０の表面に形成された複数の信号線１１２の一端側に接続されている。各信号線１１２は、駆動ＩＣ１２０から液晶ディスプレイ１４０に対して、駆動用信号を出力するための配線である。各信号線１１２の一端側は、各信号出力端子１２２に対応する位置から、まっすぐ、並列に延びている。各信号線１１２の長さは、全て同一の所定長さとなっている。また、各信号線１１２は、等間隔に配置されており、その間隔は、例えば０．３〜０．５ｍｍ程度である。各信号線１１２の延設された他端側は、液晶ディスプレイ１４０を接続するための接続部１１２ａとなっている。
【００１９】
また、グランド端子１２３は、基板１１０の表面に形成されたグランド線１１３の一端側に接続されている。グランド線１１３の他端側は、基準となる電位点に接続されている。グランド線１１３は、駆動ＩＣ１２０に対して、基準の電位を与える配線である。
【００２０】
更に、グランド端子１２３には、基板１１０の表面に形成されたグランドアンテナ線１１４の一端側が接続されている。グランドアンテナ線１１４は、グランド端子１２３から複数の信号線１１２と同一長さに設定されて、複数の信号線１１２に沿うように配置されている。グランドアンテナ線１１４と最も近い信号線１１２との間隔は、複数の信号線１１２の間隔と同一（例えば０．３〜０．５ｍｍ程度）に設定されている。グランドアンテナ線１１４の他端側は、接続部１１２ａの近傍でオープン状態となっている。
【００２１】
コンデンサ１３０は、電源部からの電流を平滑し、駆動ＩＣ１２０に供給される電力を安定化する素子であり、電源配線１１１とグランド線１１３との間に接続されている。
【００２２】
液晶ディスプレイ１４０は、車両用コンビネーションメータにおいて、例えば、車両の積算走行距離を表示する液晶式の表示部となっている。液晶ディスプレイ１４０は、複数の接続線１４１によって、各信号線１１２の各接続部１１２ａと接続されている。液晶ディスプレイ１４０は、例えば、５桁の数字を表示する数字表示部を有しており、０〜９９９９９ｋｍまでの数値（走行に伴う積算走行距離）を表示するようになっている。１つの数字表示部は、数字の８を形成する７つのセグメントから形成されており、各セグメントがオン、オフされることで積算走行距離を表す数値を表示するようになっている。
【００２３】
上記のように構成される駆動回路装置１００においては、駆動ＩＣ１２０から積算走行距離に相当する駆動用信号が生成され、各信号線１１２、各接続線１４１を介して液晶ディスプレイ１４０に出力される。そして、液晶ディスプレイ１４０の数字表示部は、各セグメントのオン、オフが制御されることで、積算走行距離に対応する数値を表示する。
【００２４】
駆動ＩＣ１２０は、駆動用信号を生成するにあたって、図３に示すように、信号出力端子１２２における信号電圧と、グランド端子１２３における基準電圧との電位差を駆動用信号とするようになっている。つまり、信号電圧によって形成される駆動信号波形から、基準電圧によって形成されるグランド端子波形を減算することで、駆動用信号を形成するようになっている。
【００２５】
ここで、例えば、駆動回路装置１００の外部における機器から電磁波（図１）が発生されると、信号線１１２にはノイズａが重畳される。また、グランドアンテナ線１１４は、信号線１１２と同一長さに設定されて、信号線１１２に沿うように配置されているので、グランドアンテナ線１１４にも信号線１１２と同様のノイズｂが重畳される。信号線１１２と、グランドアンテナ線１１４は、同一長さで、同一間隔で並ぶように配置されているので、ノイズａとノイズｂは、実質的に同一レベルのノイズとなる。
【００２６】
ここで、上記のように、駆動ＩＣ１２０は、駆動用信号として、信号出力端子１２２における信号電圧から、グランド端子１２３の基準電圧を減算して駆動用信号としている。よって、図４に示すように、駆動用信号を生成する際に、信号線１１２におけるノイズａは、グランドアンテナ線１１４におけるノイズｂによって相殺されることになる。したがって、駆動ＩＣ１２０にグランドアンテナ線１１４を設けるといった簡素な構成で、ノイズの影響を抑制することが可能となる。
【００２７】
（その他の実施形態）
上記第１実施形態では、グランドアンテナ線１１４と最も近い信号線１１２との間隔（グランドアンテナ線間隔）は、複数の信号線１１２の間隔（信号線間隔）と同一となるようにしたが、これに限定されるものではない。外部の電磁波によるノイズの影響を抑えられる範囲で、グランドアンテナ線間隔は、信号線間隔と異なるようにしても良い。
【００２８】
また、駆動回路装置１００において、被駆動部は、液晶ディスプレイ１４０（表示部）としたが、これに限定されるものではなく、その他、ＬＥＤ等を用いた照明部、あるいは、アンプおよびスピーカを備えるオーディオ機器等にも広く活用することが可能である。
【符号の説明】
【００２９】
１００  駆動回路装置
１１０  基板
１１２  信号線
１１４  グランドアンテナ線
１２０  駆動ＩＣ（制御部）
１２２  信号出力端子
１２３  グランド端子
１４０  液晶ディスプレイ（被駆動部、液晶式の表示部）
【図１】
2015094928.tif 000003
【図２】
2015094928.tif 000004
【図３】
2015094928.tif 000005
【図４】
2015094928.tif 000006